(57)【要約】【課題】簡易な構成で、導電性グランドシェルのグランド特性を向上させることを可能とする。【解決手段】リセプタクルコネクタ２の導電性グランドシェル２４に設けたコネクタ側グランド接続部材（グランドバネ片部）２４ｃと、基板側グランド接続部材（後部ホールドダウン）２４ｂとを、嵌合相手となるプラグコネクタ１の嵌合方向と略平行に延在するように配置し、それらコネクタ側グランド接続部材２４ｃと基板側グランド接続部材２４ｂとの間に流れるグランド電流を最短かつ直線状に流すこととして電気的な損失や無用な誘起現象の発生を大幅に抑制するように構成したものである。【選択図】図４
2011119152.tif 000002
【特許請求の範囲】
【請求項１】
本体ハウジングに装着された導電性グランドシェルに、嵌合相手となる他のコネクタの導電性グランドシェルに接触するコネクタ側グランド接続部材と、適宜の基板に接触する基板側グランド接続部材と、が設けられた電気コネクタにおいて、
前記コネクタ側グランド接続部材と基板側グランド接続部材とが、前記嵌合相手となる他のコネクタとの嵌合方向と略平行に延在するように配置されていることを特徴とする電気コネクタ。
【請求項２】
前記コネクタ側グランド接続部材と基板側グランド接続部材とが、前記嵌合相手となる他のコネクタとの嵌合方向と略平行に延在する一直線上に配置されていることを特徴とする請求項１記載の電気コネクタ。  
【請求項３】
前記コネクタ側グランド接続部材及び前記基板側グランド接続部材の少なくとも一方が、前記導電性グランドシェルと一体に設けられた舌片状部材から形成されていることを特徴とする請求項１記載の電気コネクタ。
【請求項４】
前記コネクタ側グランド接続部材及び前記基板側グランド接続部材の少なくとも一方が、前記導電性グランドシェルと別体に設けられたコンタクト部材から形成されていることを特徴とする請求項１記載の電気コネクタ。
【請求項５】
前記コネクタ側グランド接続部材及び前記基板側グランド接続部材の双方が、片持ち状に延出するように形成されたものであって、
前記延出の方向が、前記他のコネクタの嵌合方向に対して略同方向となるように設定されていることを特徴とする請求項１記載の電気コネクタ。
【請求項６】
前記嵌合相手としての他のコネクタが、プラグコネクタ又はリセプタクルコネクタからなることを特徴とする請求項１記載の電気コネクタ。
【発明の詳細な説明】
【技術分野】
【０００１】
本発明は、他のコネクタと嵌合することによって同軸ケーブル等の信号伝送媒体を電気的に接続する構成になされた電気コネクタに関する。
【背景技術】
【０００２】
一般の各種電気機器等においては、同軸ケーブル等からなる信号伝送媒体の端末部分を印刷配線基板に接続するなどの目的で電気コネクタが広く用いられている。電気コネクタは、例えば、信号伝送媒体が接続されるプラグコネクタと、印刷配線基板上に実装されるリセプタクルコネクタとから構成され、まず、プラグコネクタの後端縁部分に同軸ケーブル等の信号伝送媒体が接続され、その後に、当該プラグコネクタに設けられた嵌合用突部が、リセプタクルコネクタの嵌合用開口部の内部に向かって挿入されて、両コネクタどうしの嵌合が行われるようになっている。
【０００３】
このような電気コネクタは、絶縁性の部材からなる本体ハウジングを有しているとともに、その本体ハウジングには、信号シールド又はグランド回路を形成するために導電性グランドシェルが装着されている。そして、その導電性グランドシェルは、例えば下記の特許文献にも記載があるように、嵌合相手となる他のコネクタの導電性グランドシェルに接触するコネクタ側グランド接続部材（グランドバネ片部等）を有しているとともに、上述した印刷配線基板や、ＦＰＣやＦＦＣ等の信号伝送媒体として形成された適宜の基板に対して接触する基板側グランド接続部材（半田付け片部等）を備えている。
【０００４】
この導電性グランドシェルに設けられたコネクタ側グランド接続部材（グランドバネ片部等）、及び基板側グランド接続部材（半田付け片部等）は、導電性グランドシェルの本体部分と一体をなして舌片状部材から形成される場合や、別体のコンタクト部材として形成される場合などがあるが、いずれにしても、それらコネクタ側グランド接続部材と基板側グランド接続部材とを電気的に導通させることよって、嵌合相手である他のコネクタと基板との間をグランド接続しグランド回路を形成するものである。
【０００５】
ところが、一般的には、上述した導電性グランドシェルのコネクタ側グランド接続部材（グランドバネ片部等）及び基板側グランド接続部材（半田付け片部等）は、互いの位置関係を考慮することなく配置されている。すなわち、一方のコネクタ側グランド接続部材は、嵌合相手となる他のコネクタに対して適宜の位置に配置されており、他方の基板側グランド接続部材は、接続される基板に対して適宜の位置に配置されている。その結果、両接続部材どうしの位置関係は任意に分散された状態となっており、それら両接続部材間に流れるグランド電流（アース電流）が、導電性グランドシェル内を適宜の位置に配置された基板側グランド接続部材に向かって流れ、電気的な損失や無用な誘起現象が発生して、グランド特性に影響を与えるおそれがある。
【０００６】
【特許文献１】特開２００９−１９９８９１号公報
【特許文献２】特開２００３−３３１９９３号公報
【発明の開示】
【発明が解決しようとする課題】
【０００７】
そこで本発明は、簡易な構成で、導電性グランドシェルのグランド特性を向上させることが出来るようにした電気コネクタを提供することを目的とする。
【課題を解決するための手段】
【０００８】
上記目的を達成するため本発明では、本体ハウジングに装着された導電性グランドシェルに、嵌合相手となる他のコネクタの導電性グランドシェルに接触するコネクタ側グランド接続部材と、適宜の基板に接触する基板側グランド接続部材と、が設けられた電気コネクタにおいて、前記コネクタ側グランド接続部材と基板側グランド接続部材とが、前記嵌合相手となる他のコネクタとの嵌合方向と略平行に延在するように配置された構成、もしくは前記コネクタ側グランド接続部材と基板側グランド接続部材とが、前記嵌合相手となる他のコネクタとの嵌合方向と略平行に延在する一直線上に配置された構成が採用されている。
【０００９】
このような構成を有する電気コネクタによれば、コネクタ側グランド接続部材と基板側グランド接続部材との間に流れるグランド電流が、直線状の最短距離で流れることとなり、電気的な損失や無用な誘起現象の発生が大幅に抑制される。
【００１０】
また、本発明においては、前記コネクタ側グランド接続部材及び前記基板側グランド接続部材の少なくとも一方が、前記導電性グランドシェルと一体に設けられた舌片状部材、あるいは前記導電性グランドシェルと別体に設けられたコンタクト部材から形成された構成とすることが可能である。
【００１１】
また、本発明においては、前記コネクタ側グランド接続部材及び前記基板側グランド接続部材の双方が、片持ち状に延出するように形成されたものであって、前記延出の方向が、前記他のコネクタの嵌合方向に対して略同方向となるように設定されていることが望ましい。
【００１２】
このような構成を有する電気コネクタによれば、コネクタ側グランド接続部材及び基板側グランド接続部材が、他のコネクタが嵌合される方向に対して順方向に延出していることから、他のコネクタの嵌合時に、コネクタ側グランド接続部材に対して他のコネクタが衝突するおそれが無くなり、座屈等の変形や損傷の発生が防止される。
【００１３】
また、本発明においては、前記相手方コネクタが、プラグコネクタ又はリセプタクルコネクタからなる構成とすることが可能である。
【発明の効果】
【００１４】
以上述べたように本発明にかかる電気コネクタは、導電性グランドシェルに設けたコネクタ側グランド接続部材と基板側グランド接続部材とを、嵌合相手となる他のコネクタの嵌合方向と略平行に延在するように配置し、それらコネクタ側グランド接続部材と基板側グランド接続部材との間に流れるグランド電流を直線状に最短で流すこととして電気的な損失や無用な誘起現象の発生を大幅に抑制するように構成したものであるから、簡易な構成で、導電性グランドシェルのグランド特性を向上させることが出来、電気コネクタの信頼性を低廉かつ大幅に向上させることが出来る。
【図面の簡単な説明】
【００１５】
【図１】本発明の一実施形態におけるリセプタクルコネクタに対して、嵌合相手となるプラグコネクタを嵌合して構成されたコネクタ組立体の外観斜視説明図である。
【図２】図１中の II−II 線に沿った縦断面説明図である。
【図３】図１に示されたコネクタ組立体のうちのリセプタクルコネクタを単独で表した平面側の外観斜視説明図である。
【図４】図３に示されたリセプタクルコネクタを底面側から表した外観斜視説明図である。
【図５】図３中の V−V 線に沿った縦断面説明図である。
【図６】図３〜図５に示されたリセプタクルコネクタに用いられている導電性グランドシェルを底面側から表した外観斜視説明図である。
【図７】本発明の他の実施形態にかかるリセプタクルコネクタを底面側から表した外観斜視説明図である。
【図８】図７中の VIII−VIII 線に沿った縦断面説明図である。
【図９】図７及び図８に示した他の実施形態にかかるリセプタクルコネクタに用いられている導電性グランドシェルを底面側から表した外観斜視説明図である。
【発明を実施するための最良の形態】
【００１６】
以下、複数本の同軸ケーブルを印刷配線基板側に接続する電気コネクタに本発明を適用した場合の実施形態に関する説明を図面に基づいて詳細に行う。
【００１７】
［コネクタ組立体について］
まず、図１及び図２に表された本発明の第１の実施形態にかかる電気コネクタの組立体は、同軸ケーブルＳＣの端末部分が連結されたプラグコネクタ１と、印刷配線基板（図２中の破線参照）上に実装されるリセプタクルコネクタ２とからなる水平嵌合型の電気コネクタを構成するものである。すなわち、本発明でいう嵌合相手となる他のコネクタとしてのプラグコネクタ１が、本発明を適用されたリセプタクルコネクタ２に対して略水平方向に対向配置された状態で、印刷配線基板の表面に沿って上記プラグコネクタ１が近接する方向に移動され、リセプタクルコネクタ２に設けられた嵌合用開口部２１ｂに対して、上記プラグコネクタ１の前端部分に設けられた嵌合突部１１ａが差し込まれ、それによって両コネクタ１，２どうしの嵌合が行われる。
【００１８】
このように本実施形態では、プラグコネクタ１を差し込む方向、及びその反対方向に抜き出す方向は、印刷配線基板の表面が延在する方向にほぼ一致しているが、以下において印刷配線基板の表面が延在する方向を水平方向とし、印刷配線基板の表面に直交する方向を上下方向とする。また、プラグコネクタ１においては、当該プラグコネクタ１を相手方のリセプタクルコネクタ２に差し込む方向を前方向とし、その反対方向に抜き出す方向を後方向とする。また、リセプタクルコネクタ２においては、当該リセプタクルコネクタ２から上記プラグコネクタ１を抜き出す方向を前方向とし、その反対方向を後方向とする。
【００１９】
前記プラグコネクタ１の後方側の端縁部（以下、後端縁部という。）には、多極状に並列するように配置された複数本の同軸ケーブルＳＣの端末部分が連結されている。それらの各同軸ケーブルＳＣの端末部分には、被覆材が皮剥きされることによってケーブル中心導体（信号線）ＳＣａ、及びケーブル外部導体（シールド線）ＳＣｂが同軸状をなすように露出されており、ケーブル中心軸線に沿うようにして配置されたケーブル中心導体ＳＣａが、後述するプラグコネクタ１における信号伝送用の導電コンタクト（導電端子）１２に接続されることによって信号回路が構成されるようになっている。
【００２０】
また、ケーブル中心導体ＳＣａの外周側を取り囲むように配置されたケーブル外部導体ＳＣｂは、グランド部材を構成しているグランドバーＧＢに挟持されるように配置されており、半田付けやカシメや圧接等により接続されることによりグランド回路が構成されるようになっている。グランドバーＧＢは、上述した多極配列の方向に沿って長尺状に延在する細長の帯板状部材から形成されており、ケーブル外部導体（シールド線）ＳＣｂの上下各面に沿うように載置された状態で長尺状の半田材等を用いて一括接続されている。このグランドバーＧＢは、後述する導電性グランドシェル１４，２４等を介してグランド接続される構成になされている。
【００２１】
［絶縁ハウジングについて］
このような電気コネクタの組立体を構成するプラグコネクタ１及びリセプタクルコネクタ２の両コネクタは、細長状の絶縁部材から形成された本体ハウジング１１，２１をそれぞれ備えている。それらの本体ハウジング１１，２１は、上述した同軸ケーブルＳＣの多極並列方向である長手方向に沿って細長状に延在する中空状筐体をなすように形成されている。そのうちの嵌合相手としての他のコネクタ、つまりプラグコネクタ１側の本体ハウジング１１は、当該プラグコネクタ１の内部側に配置された本体支持部と、その本体支持部から前方外方に向かって延出する嵌合突部１１ａとを一体的に備えていて、本体支持部の上表面には、後述する導電コンタクト１２の後方側部分、及び上述した同軸ケーブルＳＣとの接続構成部分が配置されている。
【００２２】
また、上述した本体ハウジング１１の前方側に突出するように設けられた嵌合突部１１ａは、当該本体ハウジング１１の前端部分を構成する薄厚平板状部材からなり、両コネクタ１，２どうしを嵌合させる際に、前記リセプタクルコネクタ２に対して最初に挿入される部分となる。
【００２３】
これに対して、前記リセプタクルコネクタ２側の本体ハウジング２１の前端部分には、特に図３〜図５に示されているように、長手方向に延在する細長状空間からなる嵌合用開口部２１ｂが形成されていて、両コネクタ１，２どうしの嵌合が行われる際には、上述したプラグコネクタ１側の嵌合突部１１ａが、当該リセプタクルコネクタ２側の嵌合用開口部２１ｂの内部に向かって略水平に挿入されるようになっている。
【００２４】
［導電コンタクトについて］
さらに、上述した両本体ハウジング１１，２１には、長手方向（図２の紙面垂直方向）に沿って多数の導電コンタクト（導電端子）１２，２２が適宜のピッチ間隔で多極配列されている。図２に表された各導電コンタクト１２，２２は、信号伝送用として構成されたものであるが、グランド接続用に構成することも可能である。これら複数体の導電コンタクト１２，２２の各々は、上述した多極配列方向（コネクタ長手方向）に隣接するものどうしが略同一の材質で略同一の形状、又は異なる形状をなすように形成されており、本体ハウジング１１，２１に対して、例えばインサート成形によって埋設されたり、圧入されたりして配置されている。
【００２５】
そのうちプラグコネクタ１側に設けられた導電コンタクト１２は、本体ハウジング１１の上表面に沿って略水平に延在するように配置されており、その延在方向の途中部位に設けられた段差部より後方側に延在する後方側延在部分が、前記本体ハウジング１１の本体支持部の上表面側に配置されている。この導電コンタクト１２の後方側延在部分には、前述した同軸ケーブルＳＣのケーブル中心導体（信号線）ＳＣａが上方側から載置するように当接された状態で半田接合されている。この複数体のケーブル中心導体ＳＣａと導電コンタクト１２との半田接合も一括的に行われる。
【００２６】
一方、導電コンタクト１２の段差部より前方側に延在している前方側延在部分を構成している端子電極部は、本体ハウジング１１の前端部分を構成するように設けられた嵌合突部１１ａの上表面に配置されている。これらの端子電極部は、前述した本体ハウジング１１の嵌合突部１１ａの上表面に適宜のピッチをもって多極状をなすように配置されている。
【００２７】
これに対して、リセプタクルコネクタ２の本体ハウジング２１に装着された導電コンタクト（導電端子）２２は、その後端部分（図２の右端部分）に、側面略逆Ｌ字状をなす半田接続部２２ａが設けられている。この半田接続部２２ａは、実際の使用時に前おいて、上述した印刷配線基板（図２中の破線参照）上の信号導電路、又はグランド導電路に載置されてから一括的に半田接合される。
【００２８】
さらに、この導電コンタクト（導電端子）２２は、上述した後端側の半田接続部２２ａから前方に向かって片持ち状をなすように延出している。より具体的には、当該導電コンタクト２２は、後端側の半田接続部２２ａから略垂直上方に立ち上げられており、その立ち上がり上端部から前方側（図２の左方側）に向かって片持ち状をなすように延出している。そして、当該導電コンタクト２２の前方側先端部分に、下方側に向かって逆山形状に張り出す接点凸部２２ｂが設けられている。この導電コンタクト２２に設けられた接点凸部２２ｂは、前述したプラグコネクタ１がリセプタクルコネクタ２に嵌合されたときに、当該プラグコネクタ１側の導電コンタクト１２に設けられた接点凹部に対してバネ弾性的に接触されるように構成されている。このような接触関係によって前記両接点部どうしの電気的な接続が行われるようになっている。
【００２９】
［導電性グランドシェルについて］
一方、プラグコネクタ１及びリセプタクルコネクタ２の各本体ハウジング１１，２１には、薄板状金属部材を適宜の形状に折り曲げ成形した導電性グランドシェル１４及び２４がそれぞれ装着されている。これらの導電性グランドシェル１４，２４は、本体ハウジング１１，２１の外表面を覆うように配置されており、各コネクタ１，２における伝送信号に対するシールド性を持たせるとともに、グランド回路の一部を構成する機能を有している。このグランド回路を構成する導電性グランドシェル１４及び２４は、前記両コネクタ１，２どうしを嵌合させる際において最初に電気的な接続が行われる部分である。
【００３０】
まず、嵌合相手としての他の側コネクタであるプラグコネクタ１側に設けられた導電性グランドシェル１４の装着は、前述した同軸ケーブルＳＣにグランドバーＧＢが半田接合された後に行われ、本体ハウジング１１に対して上下両側から被せるようにして取り付けられている。なお、本実施形態における導電性グランドシェル１４の下半側部分は、インサート成形により本体ハウジング１１と一体的に成形されている。
【００３１】
また、その導電性グランドシェル１４の上面には、多極配列方向であるコネクタ長手方向に沿って複数体のグランド接続舌片１４ａが切欠き形成されている。それらの各グランド接続舌片１４ａは、片持ち板バネ状部材から形成されており、前方側斜め下方に延出して、前述したグランドバーＧＢの上面側に半田接合又は弾性接触されている。
【００３２】
さらに、前記導電性グランドシェル１４の上面における後端縁部分（図２左端部分）には、押圧突起部１４ｂが内部下方側に向かって折り返されるようにして形成されており、上述したようにして導電性グランドシェル１４の装着が行われたときに、当該押圧突起部１４ｂが、同軸ケーブルＳＣの絶縁被膜に対して上方側から押圧接触されるようになっている。
【００３３】
さらにまた、前記導電性グランドシェル１４の上面側における前端縁部分（図２の右端部分）には、庇状をなすように形成された押付圧板１４ｃが設けられている。この押付圧板１４ｃは、本体ハウジング１１の前端側の開口端縁から前方側（図２の右方側）に向かって適宜の寸法だけ略水平に突出するように構成されていて、後述するように当該導電性グランドシェル１４の押付圧板１４ｃが、リセプタクルコネクタ２の嵌合用開口部２１ｂの外表面側に接触するように装着される構成になされている。
【００３４】
一方、リセプタクルコネクタ２に設けられた導電性グランドシェル２４には、コネクタ長手方向の両端部及び後端縁部の各々に、基板側グランド接続部材としての側部ホールドダウン（半田付け片部）２４ａ、及び後部ホールドダウン（半田付け片部）２４ｂがそれぞれ設けられている。これらの各ホールドダウン（基板側グランド接続部材）２４ａ，２４ｂは、長手方向の両端外方側及び後端外方側（図２の右方側）に向かって延出するように折り曲げ形成されており、印刷配線基板（図２の破線参照）上に形成されたグランド導電路（図示省略）に対して半田接合され、それによってグランド回路の電気的な接続が行われるとともに、リセプタクルコネクタ２の全体が強固に固定されるようになっている。
【００３５】
なお、導電性グランドシェル２４の後縁端部に設けられた後部ホールドダウン（基板側グランド接続部材）２４ｂは、本発明の要部を構成するものであるので、後段において詳細に説明することとする。
【００３６】
また、前記本体ハウジング２１側の開口端縁部には、嵌合相手としての他のコネクタであるプラグコネクタ１との嵌合方向（水平方向）の前方側（図２の左方側）に向かって突出する係合突起部２１ａが設けられている。さらに、前記導電性グランドシェル２４側の開口端縁部には、上述した本体ハウジング２１側の係合突起部２１ａを嵌合方向（水平方向）に挿通させる係止穴部が設けられていて、これら本体ハウジング２１側の係合突起部２１ａと、導電性グランドシェル２４側の係止穴部とを一組とする固定機構が、リセプタクルコネクタ２の長手方向に適宜の間隔をなして複数箇所にわたって配置されている。それらの係合突起部２１ａと係止穴部とは、前記両コネクタ１，２の嵌合方向と直交する上下方向に関して互いに当接する関係となり、同方向（上下方向）に良好な固定力が得られるようになっていて、このような係合突起部２１ａと係止穴部とからなる固定機構による固定作用によって、前記本体ハウジング２１と導電性グランドシェル２４とが、両コネクタ１，２の嵌合方向と直交する上下方向において良好に固定された状態に維持される構成になされている。
【００３７】
さらに、上述した導電性グランドシェル２４の開口端縁部は、段差状をなして一段下降した状態で延在する折り曲げ段差形状をなすように形成されており、当該導電性グランドシェル２４の段差下降部分に対して、前述した相手側コネクタとしてのプラグコネクタ１側の導電性グランドシェル１４の前端縁部分（図２の右端部分）に設けられた押付圧板１４ｃが上方側から接触するようにして嵌合される構成になされている。そして、両コネクタ１，２どうしを嵌合した状態では、プラグコネクタ１側の導電性グランドシェル１４の内側表面が、リセプタクルコネクタ２側の導電性グランドシェル２４の外側表面に接触する配置関係になされており、そのような嵌合状態において、両コネクタ１，２の導電性グランドシェル１４，２４どうしが嵌合方向と直交する上下方向に重なり合うように配置される構成になされている。
【００３８】
また、上述したように両コネクタ１，２の導電性グランドシェル１４，２４どうしが嵌合方向と直交する上下方向に重なり合った状態においては、プラグコネクタ１側の導電性グランドシェル１４に設けられた押付圧板１４ｃと、同じくプラグコネクタ１側の本体ハウジング１１に設けられた嵌合突部１１ａとの間に、リセプタクルコネクタ２側の導電コンタクト２２を介して、上述したように固定された本体ハウジング２１及び導電性グランドシェル２４が挟み込まれる構成になされている。
【００３９】
すなわち、前記リセプタクルコネクタ２の本体ハウジング２１の内部に嵌合相手としての他のコネクタとしてのプラグコネクタ１の嵌合突部１１ａが挿入された際には、前述したようにプラグコネクタ１側の嵌合突部１１ａがリセプタクルコネクタ２側の導電コンタクト２２に対し下方側から上方側に向かって圧接され、それによって前記導電コンタクト２２が上方に持ち上げられるように変位される。そして、そのような導電コンタクト２２の上方変位に伴って、本体ハウジング２１及び導電性グランドシェル２４の両開口端縁部が、特に長手方向の中央部分で上方に押し広げられるように付勢されることとなる。しかしながら、本実施形態では、上述したようにリセプタクルコネクタ２側の本体ハウジング２１及び導電性グランドシェル２４が、プラグコネクタ１側の嵌合突部１１ａと導電性グランドシェル１４の押付圧板１４ｃとの間に挟み込まれた構成になされている。特に、プラグコネクタ１側の押付圧板１４ｃによって、リセプタクルコネクタ２側の本体ハウジング２１及び導電性グランドシェル２４が下方に押し付けられていることから、それらリセプタクルコネクタ２側の本体ハウジング２１及び導電性グランドシェル２４における両開口端縁部の上方向拡大や膨出が良好に防止されるようになっている。
【００４０】
一方、上述したようにリセプタクルコネクタ２側の本体ハウジング２１に装着された導電性グランドシェル２４には、当該導電性グランドシェル２４の後端縁部に、基板側グランド接続部材としての後部ホールドダウン（半田付け片部）２４ｂ，２４ｆが設けられている。この基板側グランド接続部材としての後部ホールドダウン２４ｂ，２４ｆは、特に図５及び図６に示されているように、前記導電性グランドシェル２４の底面板の後端縁部から後方側（図５の右方側）に向かって一体的に延出する舌片状部材から形成されており、長手方向（図５の紙面垂直方向）に沿って複数体（７体）のものが所定の間隔をなして配置された構成になされている。
【００４１】
これらの各後部ホールドダウン（基板側グランド接続部材）２４ｂ，２４ｆは、片持ち状をなして後方に延出するように設けられているが、その延出側の部分（図５の右方側部分）は、階段状に下降するように折り曲げ形成されており、それらの下降折曲部分の先端側が、前記印刷配線基板（図２の破線参照）上に形成されたグランド導電路（図示省略）に対して一括で半田付けされるようになっている。
【００４２】
また、この導電性グランドシェル２４には、嵌合相手である他のコネクタとしてのプラグコネクタ１側の導電性グランドシェル１４に接触するコネクタ側グランド接続部材としてのグランドバネ片部２４ｃが設けられている。このコネクタ側グランド接続部材としてのグランドバネ片部２４ｃは、導電性グランドシェル２４の一部を片持ち状に切り起こした形状になされており、上述した後部ホールドダウン（基板側グランド接続部材）２４ｂと同様に、後方側（図５の右方側）に延出する舌片状部材から形成されている。
【００４３】
これらのグランドバネ片部（コネクタ側グランド接続部材）２４ｃの延出側先端部分には、上方に湾曲して突出するようにして凸状接点部２４ｄが設けられており、その凸状接点部２４ｄが、嵌合相手としてのプラグコネクタ（他のコネクタ）１側の導電性グランドシェル１４に対して、下方側から弾性的に接触する構成になされている。
【００４４】
さらに、このグランドバネ片部（コネクタ側グランド接続部材）２４ｃは、前述した後部ホールドダウン（基板側グランド接続部材）２４ｂに対応した位置、より具体的には、前記各後部ホールドダウン２４ｂのやや前方側（図５の左方側）にグランドバネ片部２４ｃがそれぞれ配置されている。なお、長手方向（図５の紙面垂直方向）両端に設けられた後部ホールドダウン２４ｆの２体に対応したグランドバネ片部は設けられていない。
【００４５】
そして、上述したように前後に対応して配置された各後部ホールドダウン（基板側グランド接続部材）２４ｂとグランドバネ片部（コネクタ側グランド接続部材）２４ｃとは、プラグコネクタ（他のコネクタ）１の嵌合方向である前後方向に略平行に延在する一直線上に配置されている。すなわち、これら一直線上に配置された両部材２４ｂ，２４ｃを一組としてグランド回路の一部が構成されており、それらの各組を構成している両部材２４ｂ，２４ｃは、コネクタ長手方向に直交する幅方向の中心線が略一致する配置関係になされている。
【００４６】
このような構成を有する本実施形態によれば、後部ホールドダウン（基板側グランド接続部材）２４ｂと、グランドバネ片部（コネクタ側グランド接続部材）２４ｃとの間に流れるグランド電流が、直線状の最短距離で流れることとなり、電気的な損失や無用な誘起現象の発生が大幅に抑制されるようになっている。
【００４７】
特に、本実施形態においては、グランドバネ片部（コネクタ側グランド接続部材）２４ｃ及び後部ホールドダウン（基板側グランド接続部材）２４ｂが、嵌合相手の他のコネクタであるプラグコネクタ１が嵌合される方向に対して順方向に延出していることから、プラグコネクタ１の嵌合時に、特にグランドバネ片部２４ｃに対してプラグコネクタ１の嵌合突部１１ａが衝突するおそれが無くなり、座屈等の変形や損傷の発生が防止される。
【００４８】
さらに本実施形態においては、後部ホールドダウン（基板側グランド接続部材）２４ｂが、導電コンタクト２２の半田接続部２２ａより前方側（図５の左方向）となる本体ハウジング２１の領域内に配置されている。この後部ホールドダウン２４ｂは、長手方向（図５の紙面垂直方向）に沿って複数体（５体）のものが所定の間隔をなして配置された構成になされている。そして、このような構成によって、リセプタクルコネクタ２の平面視においての投影面積を増加させることなく、後部ホールドダウン（基板側グランド接続部材）２４ｂと印刷配線基板（図２の破線参照）上に形成されたグランド導電路（図示省略）との電気的な接続が行われるとともに、リセプタクルコネクタ２の全体が強固に固定されるようになっている。
【００４９】
また、上述した第１実施形態と同一の構成部材に同一の符号を付した図７〜図９に示されている第２実施形態においては、後部ホールドダウン（基板側グランド接続部材）２４ｂが、上述した実施形態と同様に、導電性グランドシェル２４における底面板の後端縁部から後方（図８の右方側）に向かって一体的に延出する舌片状部材から形成されているとともに、グランドバネ片部（コネクタ側グランド接続部材）２４ｅは、導電性グランドシェル２４の一部を片持ち状に一体的に切り起こした形状を有している点において上述した実施形態と同様な構成となっている。一方、この第２実施形態にかかるグランドバネ片部（コネクタ側グランド接続部材）２４ｅは、片持ち状の延出方向が、上述した第１実施形態のものとは逆方向、すなわち前方（図８の左方側）に向かって片持ち状に延出する舌片状部材から形成されている。
【００５０】
そして、この第２実施形態においても、各グランドバネ片部（コネクタ側グランド接続部材）２４ｅと、後部ホールドダウン（基板側グランド接続部材）２４ｂとは、プラグコネクタ１の嵌合方向である前後方向に対して略平行に延在する一直線上に配置されていて、これら両部材２４ｄ，２４ｃにおける幅方向の中心線が略一致するような配置関係になされている。
【００５１】
このような構成を有する本実施形態においても、グランドバネ片部（コネクタ側グランド接続部材）２４ｅと、後部ホールドダウン（基板側グランド接続部材）２４ｂとの間に流れるグランド電流が、最短かつ直線状に流れることとなり、電気的な損失や無用な誘起現象の発生が大幅に抑制されるようになっている。
【００５２】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００５３】
例えば、上述した実施形態においては、コネクタ側グランド接続部材及び前記基板側グランド接続部材の双方が、片持ち状の舌片状部材から形成されているが、それらのうちの一方又は双方を、導電性グランドシェルとは別体に設けられたコンタクト部材から形成するように構成することも可能である。
【００５４】
また、上述した実施形態は、リセプタクルコネクタに対して本発明を適用したものであるが、プラグコネクタに対しても本発明は同様に適用可能である。その場合の嵌合相手としての他のコネクタは、リセプタクルコネクタとなる。
【００５５】
さらに、上述した実施形態では、基板として印刷配線基板を採用しているが、ＦＰＣやＦＦＣ等のような多種多様な基板を採用することが出来る。
【００５６】
さらにまた上述した実施形態は、水平嵌合型の電気コネクタに本発明を適用したものであるが、垂直嵌合型の電気コネクタに対しても同様に適用することができる。また、本発明は、上述した実施形態のような同軸ケーブル用のコネクタに限定されるものではなく、絶縁ケーブル用コネクタや、同軸ケーブルと絶縁ケーブルとが複数混合したタイプの電気コネクタや、フレキシブル配線基板等が連結される電気コネクタ、プリント基板同士を接続する基板対基板コネクタ等についても同様に適用することが可能である。
【産業上の利用可能性】
【００５７】
以上のように本実施形態は、各種電気機器に使用される多種多様な電気コネクタに対して広く適用することが可能である。
【符号の説明】
【００５８】
１  プラグコネクタ（他のコネクタ）
１１  本体ハウジング
１１ａ  嵌合突部
１２  導電コンタクト（導電端子）
１４  導電性グランドシェル
１４ａ  グランド接続舌片
１４ｂ  押圧突起部
１４ｃ  押付圧板
２  リセプタクルコネクタ
２１  本体ハウジング
２１ａ  係合突起部
２１ｂ  嵌合用開口部
２２  導電コンタクト（導電端子）
２２ａ  半田接続部
２２ｂ  接点凸部
２４  導電性グランドシェル
２４ａ  側部ホールドダウン
２４ｂ  後部ホールドダウン（基板側グランド接続部材）
２４ｃ  グランドバネ片部（コネクタ側グランド接続部材）
２４ｄ  凸状接点部
２４ｅ  グランドバネ片部（コネクタ側グランド接続部材）
２４ｆ  後部ホールドダウン（基板側グランド接続部材）
ＳＣ  同軸ケーブル
ＳＣａ  ケーブル中心導体（信号線）
ＳＣｂ  ケーブル外部導体（シールド線）
ＧＢ  グランドバー
【図１】
2011119152.tif 000003
【図２】
2011119152.tif 000004
【図３】
2011119152.tif 000005
【図４】
2011119152.tif 000006
【図５】
2011119152.tif 000007
【図６】
2011119152.tif 000008
【図７】
2011119152.tif 000009
【図８】
2011119152.tif 000010
【図９】
2011119152.tif 000011
【手続補正書】
【提出日】平成22年6月22日(2010.6.22)
【手続補正１】
【補正対象書類名】特許請求の範囲
【補正対象項目名】全文
【補正方法】変更
【補正の内容】
【特許請求の範囲】
【請求項１】
本体ハウジングに装着された導電性グランドシェルに、嵌合相手となる他のコネクタの導電性グランドシェルに接触するコネクタ側グランド接続部材と、印刷配線基板に接触する基板側グランド接続部材と、が設けられ、
それらのコネクタ側グランド接続部材及び基板側グランド接続部材の双方が、片持ち状に延出するように形成された電気コネクタにおいて、
前記コネクタ側グランド接続部材と基板側グランド接続部材とにおける前記片持ち状の延出方向が、前記嵌合相手となる他のコネクタを差し込む嵌合方向と略平行かつ略同方向となるように設定されていることを特徴とする電気コネクタ。
【請求項２】
前記コネクタ側グランド接続部材と基板側グランド接続部材とが、前記嵌合相手となる他のコネクタとの嵌合方向と略平行に延在する一直線上に配置されていることを特徴とする請求項１記載の電気コネクタ。  
【請求項３】
前記コネクタ側グランド接続部材及び前記基板側グランド接続部材の少なくとも一方が、前記導電性グランドシェルと一体に設けられた舌片状部材から形成されていることを特徴とする請求項１記載の電気コネクタ。
【請求項４】
前記コネクタ側グランド接続部材及び前記基板側グランド接続部材の少なくとも一方が、前記導電性グランドシェルと別体に設けられたコンタクト部材から形成されていることを特徴とする請求項１記載の電気コネクタ。
【請求項５】
前記嵌合相手としての他のコネクタが、プラグコネクタ又はリセプタクルコネクタからなることを特徴とする請求項１記載の電気コネクタ。
【手続補正２】
【補正対象書類名】明細書
【補正対象項目名】０００８
【補正方法】変更
【補正の内容】
【０００８】
上記目的を達成するため本発明では、本体ハウジングに装着された導電性グランドシェルに、嵌合相手となる他のコネクタの導電性グランドシェルに接触するコネクタ側グランド接続部材と、印刷配線基板に接触する基板側グランド接続部材と、が設けられ、それらのコネクタ側グランド接続部材及び基板側グランド接続部材の双方が、片持ち状に延出するように形成された電気コネクタにおいて、前記コネクタ側グランド接続部材と基板側グランド接続部材とにおける前記片持ち状の延出方向が、前記嵌合相手となる他のコネクタを差し込む嵌合方向と略平行かつ略同方向となるように設定された構成が採用されている。
【手続補正３】
【補正対象書類名】明細書
【補正対象項目名】０００９
【補正方法】変更
【補正の内容】
【０００９】
このような構成を有する電気コネクタによれば、コネクタ側グランド接続部材と基板側グランド接続部材との間に流れるグランド電流が、直線状の最短距離で流れることとなり、電気的な損失や無用な誘起現象の発生が大幅に抑制される。
さらに、このような構成を有する電気コネクタによれば、コネクタ側グランド接続部材及び基板側グランド接続部材が、他のコネクタが嵌合される方向に対して順方向に延出していることから、他のコネクタの嵌合時に、コネクタ側グランド接続部材に対して他のコネクタが衝突するおそれが無くなり、座屈等の変形や損傷の発生が防止される。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１４
【補正方法】変更
【補正の内容】
【００１４】
以上述べたように本発明にかかる電気コネクタは、導電性グランドシェルに設けたコネクタ側グランド接続部材と基板側グランド接続部材とを、嵌合相手となる他のコネクタを差し込む嵌合方向と略平行かつ略同方向に延在するように配置し、それらコネクタ側グランド接続部材と基板側グランド接続部材との間に流れるグランド電流を直線状に最短で流すこととして電気的な損失や無用な誘起現象の発生を大幅に抑制するとともに、コネクタ側グランド接続部材に対して他のコネクタが衝突するおそれを無くなくして座屈等の変形や損傷の発生を防止するように構成したものであるから、簡易な構成で、導電性グランドシェルのグランド特性を向上させることが出来、電気コネクタの信頼性を低廉かつ大幅に向上させることが出来る。
【手続補正書】
【提出日】平成22年9月24日(2010.9.24)
【手続補正１】
【補正対象書類名】特許請求の範囲
【補正対象項目名】全文
【補正方法】変更
【補正の内容】
【特許請求の範囲】
【請求項１】
細長状の絶縁部材から形成された本体ハウジングに装着された導電性グランドシェルに、嵌合相手となる他のコネクタの導電性グランドシェルに接触するコネクタ側グランド接続部材と、印刷配線基板に接触する基板側グランド接続部材とが、前記本体ハウジングの長手方向に沿って所定の間隔で複数体設けられ、
それらのコネクタ側グランド接続部材及び基板側グランド接続部材の双方が、片持ち状に延出するように形成された電気コネクタにおいて、
前記コネクタ側グランド接続部材と基板側グランド接続部材とにおける前記片持ち状の延出方向が、前記嵌合相手となる他のコネクタを差し込む嵌合方向と略平行かつ略同方向となるように設定されて、当該コネクタ側グランド接続部材と基板側グランド接続部材とが一直線上に配置されたものであって、
その一直線上に配置された一組のコネクタ側グランド接続部材と基板側グランド接続部材とが、前記本体ハウジングの長手方向に複数組にわたって配置されていることを特徴とする電気コネクタ。
【請求項２】
前記コネクタ側グランド接続部材及び前記基板側グランド接続部材の少なくとも一方が、前記導電性グランドシェルと一体に設けられた舌片状部材から形成されていることを特徴とする請求項１記載の電気コネクタ。
【請求項３】
前記コネクタ側グランド接続部材及び前記基板側グランド接続部材の少なくとも一方が、前記導電性グランドシェルと別体に設けられたコンタクト部材から形成されていることを特徴とする請求項１記載の電気コネクタ。
【請求項４】
前記嵌合相手としての他のコネクタが、プラグコネクタ又はリセプタクルコネクタからなることを特徴とする請求項１記載の電気コネクタ。
【手続補正２】
【補正対象書類名】明細書
【補正対象項目名】０００８
【補正方法】変更
【補正の内容】
【０００８】
上記目的を達成するため本発明では、細長状の絶縁部材から形成された本体ハウジングに装着された導電性グランドシェルに、嵌合相手となる他のコネクタの導電性グランドシェルに接触するコネクタ側グランド接続部材と、印刷配線基板に接触する基板側グランド接続部材とが、前記本体ハウジングの長手方向に沿って所定の間隔で複数体設けられ、  それらのコネクタ側グランド接続部材及び基板側グランド接続部材の双方が、片持ち状に延出するように形成された電気コネクタにおいて、前記コネクタ側グランド接続部材と基板側グランド接続部材とにおける前記片持ち状の延出方向が、前記嵌合相手となる他のコネクタを差し込む嵌合方向と略平行かつ略同方向となるように設定されて、当該コネクタ側グランド接続部材と基板側グランド接続部材とが一直線上に配置されたものであって、その一直線上に配置された一組のコネクタ側グランド接続部材と基板側グランド接続部材とが、前記本体ハウジングの長手方向に複数組にわたって配置された構成が採用されている。
【手続補正３】
【補正対象書類名】明細書
【補正対象項目名】００１４
【補正方法】変更
【補正の内容】
【００１４】
以上述べたように本発明にかかる電気コネクタは、導電性グランドシェルに設けたコネクタ側グランド接続部材と基板側グランド接続部材とを、嵌合相手となる他のコネクタを差し込む嵌合方向と略平行かつ略同方向に延在するように配置するとともに、一直線上に配置した一組のコネクタ側グランド接続部材と基板側グランド接続部材とを本体ハウジングの長手方向に複数組にわたって配置し、それらコネクタ側グランド接続部材と基板側グランド接続部材との間に流れるグランド電流を直線状に最短で流すこととして電気的な損失や無用な誘起現象の発生を大幅に抑制するとともに、コネクタ側グランド接続部材に対して他のコネクタが衝突するおそれを無くなくして座屈等の変形や損傷の発生を防止するように構成したものであるから、簡易な構成で、導電性グランドシェルのグランド特性を向上させることが出来、電気コネクタの信頼性を低廉かつ大幅に向上させることが出来る。